(57)【特許請求の範囲】
【請求項１】
動画データを生成する第１の生成手段と、
静止画データを生成する第２の生成手段と、
前記動画データ及び前記静止画データを記録媒体に記録する記録手段と、
動画データの記録開始の指示に応じて、動画データを生成するよう前記第１の生成手段を制御すると共に、静止画データを生成するよう前記第２の生成手段を制御し、前記生成された動画データと静止画データとを関連づけて前記記録媒体に記録するよう前記記録手段を制御する制御手段と、
表示手段とを有し、
前記制御手段は、前記記録媒体に記録された動画データの削除の指示に応じて、前記削除の対象となる動画データに関連づけられた静止画データから削除対象としない静止画データを選択する為の画像を表示装置に表示させるよう前記表示手段を制御することを特徴とする画像処理装置。
【請求項２】
動画データを生成する第１の生成手段と、
静止画データを生成する第２の生成手段と、
前記動画データ及び前記静止画データを記録媒体に記録する記録手段と、
動画データの記録終了の指示に応じて、動画データの生成を停止するよう前記第１の生成手段を制御すると共に、静止画データを生成するよう前記第２の生成手段を制御し、前記生成が停止された動画データと前記生成された静止画データとを関連づけて前記記録媒体に記録するよう前記記録手段を制御する制御手段と、
表示手段とを有し、
前記制御手段は、前記記録媒体に記録された動画データの削除の指示に応じて、前記削除の対象となる動画データに関連づけられた静止画データから削除対象としない静止画データを選択する為の画像を表示装置に表示させるよう前記表示手段を制御することを特徴とする画像処理装置。
【請求項３】
前記制御手段は、動画データの記録終了の指示が入力されると、動画データの生成を停止するよう前記第１の生成手段を制御すると共に、静止画データを生成するよう前記第２の生成手段を制御し、前記生成が停止された動画データと前記生成された静止画データとを関連づけて前記記録媒体に記録するよう前記記録手段を制御することを特徴とする請求項１記載の画像処理装置。
【請求項４】
前記制御手段は、前記記録媒体に記録された動画データの削除の指示に応じて、前記削除の対象となる動画データに関連づけられた静止画データの示す画像を前記表示装置に表示するよう前記表示手段を制御することを特徴とする請求項１から３のいずれか１項記載の画像処理装置。
【請求項５】
前記制御手段は、前記動画データの記録開始または記録終了の指示に応じて生成された静止画データを上書き可能なデータとして前記記録媒体に記録するよう前記記録手段を制御することを特徴とする請求項１から４のいずれか１項記載の画像処理装置。
【請求項６】
前記制御手段は、前記削除対象とされた静止画データは、当該静止画データに関連づけられた動画データが削除されるときに前記記録媒体から削除するよう前記記録手段を制御することを特徴とする請求項１から５のいずれか１項に記載の画像処理装置。
【請求項７】
動画データを生成する第１の生成手段と、
静止画データを生成する第２の生成手段と、
前記動画データ及び前記静止画データを記録媒体に記録する記録手段と、
動画データの記録開始または記録終了の指示に応じて、動画データを生成するよう前記第１の生成手段を制御すると共に、静止画データを生成するよう前記第２の生成手段を制御し、前記生成された動画データと静止画データとを関連づけて前記記録媒体に記録するよう前記記録手段を制御する制御手段と、
表示手段とを有し、
前記制御手段は、静止画記録の指示に応じて、静止画データを生成するよう前記第２の生成手段を制御し、前記生成された静止画データを前記記録媒体に記録するよう前記記録手段を制御し、
前記制御手段は、前記静止画データの記録指示に応じて記録された複数の静止画データを示す情報を一覧表示するよう前記表示手段を制御し、
前記制御手段は、前記静止画データの記録指示に応じて記録された複数の静止画データを示す情報を一覧表示しているときに、前記動画データの記録開始または記録終了の指示に応じて記録された静止画データを示す情報を表示させないよう前記表示手段を制御することを特徴とする画像処理装置。
【請求項８】
動画データを生成する第１の生成手段と、
静止画データを生成する第２の生成手段と、
前記動画データ及び前記静止画データを記録媒体に記録する記録手段と、
動画データの記録開始または記録終了の指示に応じて、動画データを生成するよう前記第１の生成手段を制御すると共に、静止画データを生成するよう前記第２の生成手段を制御し、前記生成された動画データと静止画データとを関連づけて前記記録媒体に記録するよう前記記録手段を制御する制御手段と、
表示手段とを有し、
前記制御手段は、前記動画データの記録開始または記録終了の指示に応じて生成された静止画データを隠しファイル属性として前記記録媒体に記録するよう前記記録手段を制御することを特徴とする画像処理装置。
【請求項９】
前記制御手段は、電源オフの指示に応じて、動画データの生成を停止するよう前記第１の生成手段を制御するが、静止画データの生成をするよう前記第２の生成手段を制御しないことを特徴とする請求項２から８のいずれか１項記載の画像処理装置。
【請求項１０】
前記制御手段は、前記記録媒体に記録されている動画データが示す動画を表示すると共に、前記表示された動画データに関連づけられた静止画データの静止画を前記動画の表示の前または後に表示するよう前記表示手段を制御することを特徴とする請求項１から９のいずれか１項記載の画像処理装置。
【請求項１１】
前記制御手段は、前記動画データの記録終了の指示に応じて、前記生成が停止された動画データに関連づけて記録されている静止画に関する情報を前記表示装置に表示するよう前記表示手段を制御することを特徴とする請求項２から１０のいずれか１項記載の画像処理装置。
【請求項１２】
動画データを生成する第１の生成手段と、静止画データを生成する第２の生成手段と、前記動画データ及び前記静止画データを記録媒体に記録する記録手段と、表示手段とを有する画像処理装置の制御方法であって、
動画データの記録開始の指示に応じて、動画データを生成するよう前記第１の生成手段を制御すると共に、静止画データを生成するよう前記第２の生成手段を制御し、前記生成された動画データと静止画データとを関連づけて前記記録媒体に記録するよう前記記録手段を制御し、
前記記録媒体に記録された動画データの削除の指示に応じて、前記削除の対象となる動画データに関連づけられた静止画データから削除対象としない静止画データを選択する為の画像を表示装置に表示させるよう前記表示手段を制御することを特徴とする画像処理装置の制御方法。
【請求項１３】
動画データを生成する第１の生成手段と、静止画データを生成する第２の生成手段と、前記動画データ及び前記静止画データを記録媒体に記録する記録手段と、表示手段とを有する画像処理装置の制御方法であって、
動画データの記録終了の指示に応じて、動画データの生成を停止するよう前記第１の生成手段を制御すると共に、静止画データを生成するよう前記第２の生成手段を制御し、前記生成が停止された動画データと前記生成された静止画データとを関連づけて前記記録媒体に記録するよう前記記録手段を制御し、
前記記録媒体に記録された動画データの削除の指示に応じて、前記削除の対象となる動画データに関連づけられた静止画データから削除対象としない静止画データを選択する為の画像を表示装置に表示させるよう前記表示手段を制御することを特徴とする画像処理装置の制御方法。
【請求項１４】
前記記録媒体に記録された動画データの削除の指示に応じて、前記削除の対象となる動画データに関連づけられた静止画データの示す画像を前記表示装置に表示するよう前記表示手段を制御することを特徴とする請求項１２または１３記載の画像処理装置の制御方法。
【請求項１５】
前記動画データの記録開始または記録終了の指示に応じて生成された静止画データを上書き可能なデータとして前記記録媒体に記録するよう前記記録手段を制御することを特徴とする請求項１２から１４のいずれか１項記載の画像処理装置の制御方法。
【請求項１６】
前記削除対象とされた静止画データは、当該静止画データに関連づけられた動画データが削除されるときに前記記録媒体から削除するよう前記記録手段を制御することを特徴とする請求項１２から１５のいずれか１項に記載の画像処理装置の制御方法。
【請求項１７】
動画データを生成する第１の生成手段と、静止画データを生成する第２の生成手段と、前記動画データ及び前記静止画データを記録媒体に記録する記録手段と、表示手段とを有する画像処理装置の制御方法であって、
動画データの記録開始または記録終了の指示に応じて、動画データを生成するよう前記第１の生成手段を制御すると共に、静止画データを生成するよう前記第２の生成手段を制御し、前記生成された動画データと静止画データとを関連づけて前記記録媒体に記録するよう前記記録手段を制御し、
静止画記録の指示に応じて、静止画データを生成するよう前記第２の生成手段を制御し、前記生成された静止画データを前記記録媒体に記録するよう前記記録手段を制御し、前記静止画データの記録指示に応じて記録された複数の静止画データを示す情報を一覧表示するよう前記表示手段を制御し、
前記静止画データの記録指示に応じて記録された複数の静止画データを示す情報を一覧表示しているときに、前記動画データの記録開始または記録終了の指示に応じて記録された静止画データを示す情報を表示させないよう前記表示手段を制御することを特徴とする画像処理装置の制御方法。
【請求項１８】
動画データを生成する第１の生成手段と、静止画データを生成する第２の生成手段と、前記動画データ及び前記静止画データを記録媒体に記録する記録手段と、表示手段とを有する画像処理装置の制御方法であって、
動画データの記録開始または記録終了の指示に応じて、動画データを生成するよう前記第１の生成手段を制御すると共に、静止画データを生成するよう前記第２の生成手段を制御し、前記生成された動画データと静止画データとを関連づけて前記記録媒体に記録するよう前記記録手段を制御し、
前記動画データの記録開始または記録終了の指示に応じて生成された静止画データを隠しファイル属性として前記記録媒体に記録するよう前記記録手段を制御することを特徴とする画像処理装置の制御方法。
【請求項１９】
電源オフの指示に応じて、動画データの生成を停止するよう前記第１の生成手段を制御するが、静止画データの生成をするよう前記第２の生成手段を制御しないことを特徴とする請求項１３から１８のいずれか１項記載の画像処理装置の制御方法。
【請求項２０】
前記記録媒体に記録されている動画データが示す動画を表示すると共に、前記表示された動画データに関連づけられた静止画データの静止画を前記動画の表示の前または後に表示するよう前記表示手段を制御することを特徴とする請求項１２から１９のいずれか１項記載の画像処理装置の制御方法。
【請求項２１】
前記動画データの記録終了の指示に応じて、前記生成が停止された動画データに関連づけて記録されている静止画に関する情報を前記表示装置に表示するよう前記表示手段を制御することを特徴とする請求項１３から２０のいずれか１項記載の画像処理装置の制御方法。
【請求項２２】
動画データを生成する第１の生成手段と、
静止画データを生成する第２の生成手段と、
前記動画データ及び前記静止画データを記録媒体に記録する記録手段と、
動画データの記録開始または終了の指示に応じて、動画データを生成するよう前記第１の生成手段を制御すると共に、静止画データを生成するよう前記第２の生成手段を制御し、前記生成された動画データと静止画データとを関連づけて前記記録媒体に記録するよう前記記録手段を制御する制御手段と、
表示手段とを有し、
前記制御手段は、前記記録媒体に記録された動画データの削除の指示に応じて、前記削除の対象となる動画データに関連づけられた静止画データから削除対象としない静止画データを選択する為の画像を表示装置に表示させるよう前記表示手段を制御することを特徴とする画像処理システム。
【発明の詳細な説明】
【技術分野】
【０００１】
本発明は、記録装置に関し、特に動画と静止画を記録することが可能である記録装置に関する。
【背景技術】
【０００２】
従来、動画と静止画を記録することができるビデオカメラやスチルカメラ等の記録装置が知られている。この種の記録装置では、例えば、モードスイッチを有しており、動画撮影モードと静止画撮影モードとを切り替えられるようになっているものがある（例えば、特許文献１）。
【先行技術文献】
【特許文献】
【０００３】
【特許文献１】特開２０００−１３４５６３
【発明の概要】
【発明が解決しようとする課題】
【０００４】
このようなビデオカメラでは、例えば、ユーザは静止画撮影をするつもりであっても、モードスイッチを動画撮影側に設定したままシャッターボタンを操作してしまい、静止画撮影としての画像を取得し損ねてしまうことがあった。
【０００５】
本発明は、このような問題に鑑みてなされたもので、例えば、誤った操作で動画記録を行ったとしても、後の操作により動画記録を行った時の静止画を取得することができる記録装置を提供することを目的とする。
【課題を解決するための手段】
【０００６】
このような課題を解決するために、本発明の画像処理装置は、動画データを生成する第１の生成手段と、静止画データを生成する第２の生成手段と、前記動画データ及び前記静止画データを記録媒体に記録する記録手段と、動画データの記録開始の指示に応じて、動画データを生成するよう前記第１の生成手段を制御すると共に、静止画データを生成するよう前記第２の生成手段を制御し、前記生成された動画データと静止画データとを関連づけて前記記録媒体に記録するよう前記記録手段を制御する制御手段と、表示手段とを有し、前記制御手段は、前記記録媒体に記録された動画データの削除の指示に応じて、前記削除の対象となる動画データに関連づけられた静止画データから削除対象としない静止画データを選択する為の画像を表示装置に表示させるよう前記表示手段を制御することを特徴とする。
【発明の効果】
【０００７】
本発明によれば、例えば、動画記録を行ってしまった場合でも、後の操作により動画記録を行った時の静止画を取得することができる。
【図面の簡単な説明】
【０００８】
【図１】実施例１のビデオカメラのブロック図である。
【図２】実施例１のハードディスク内のディレクトリ構造を示す図である。
【図３】実施例１のビデオカメラの記録動作を説明するフロー図である。
【図４】実施例１の動画記録モードの画像記録について説明する図である。
【図５】実施例１の動画記録モードの画像記録について説明する図である。
【図６】実施例１の動画データ削除前のディレクトリ構造を示す図である。
【図７】実施例１の動画データ削除時の動作を説明するフロー図である。
【図８】実施例１の表示部の表示を説明するための図である。
【図９】実施例１の動画データ削除後のディレクトリ構造を示す図である。
【発明を実施するための形態】
【０００９】
以下、図面を参照して本発明の実施例を詳細に説明する。
【実施例１】
【００１０】
動画と静止画を撮像し動画データ、静止画データとして記録することができる撮像装置について説明する。
【００１１】
図１は、本実施例のビデオカメラのブロック図である。
【００１２】
図１において、１０１はビデオカメラの各種機能に応じて、各ブロックを制御する制御部である。１０２は、外部からの指示をビデオカメラに入力するための操作部である。操作部１０２は、電源スイッチや、静止画記録モード動画記録モードを選択する選択スイッチ、撮影の開始・終了を指示をするシャッターボタン等から構成されている。１０３は、制御部１０１からの制御信号や、操作部１０２からの指示信号等が行き来する制御信号バスである。１０４は、各ブロック間の画像データおよび音声データが行き来する画像／音声データバスである。
【００１３】
１０５は、被写体の光学像を取り込む撮影レンズや、光量を制御する絞り、光学像を電気信号に変換する撮像素子等からなる撮像部であり、映像信号（画像信号）を入力するものである。１０６は、撮像部１０５から入力された映像信号を適正な信号レベルにし、デジタルデータに変換し、映像記録方式に必要な処理を行う映像処理部である。映像処理部１０６は、動画データ及び、静止画データを生成することができる。
【００１４】
１０７は、音声を取り込むマイクロフォン、取り込んだ音声信号を適正なレベルまで増幅する増幅器等からなる集音部である。１０８は、集音部１０７から得た音声信号をデジタルデータに変換し、音声記録方式に必要な処理を行う音声処理部である。
【００１５】
１０９は、記録中は、映像処理部１０６から得られた映像データを表示し、再生中は後述の映像再生処理部１１３で再生された映像を表示するほか、各種メニューの表示をすることができる表示部であり、外部の表示装置でもよい。１１０は、表示部１０９の表示を制御するための表示制御部である。
【００１６】
１１１は、映像処理部１０６から得られた動画データ、静止画データ、音声処理部１０８から得られた音声データ、その他のデータを必要に応じて関連づけて記録するための記録媒体としてのハードディスク（以後、ＨＤＤ）である。１１２は、ＨＤＤ１１１にアクセスし、上記の動画データ、静止画データ、音声データ、その他のデータ等を読み書きするためのアクセス部である。
【００１７】
１１３は、アクセス部１１２によって読み出されたＨＤＤ１１１の動画データを映像記録方式に従って処理し、所定の形態に変換する映像再生処理部である。また、映像再生処理部１１３は、アクセス部１１２によって読み出されたＨＤＤ１１１の静止画データを映像記録方式に従って処理し、所定の形態に変換することもできる。１１４は、映像再生処理部１１３で再生された映像信号を外部に出力するための映像端子である。
【００１８】
１１５は、アクセス部１１２によって読み出されたＨＤＤ１１１の音声データを音声記録方式に従って再生する音声再生処理部である。１１６は、音声再生処理部１１５で再生された音声信号を外部に出力するための音声端子である。
【００１９】
１１７は、ＰＣ等の外部機器と通信を行ったり、ＨＤＤ１１１に記録された動画データ、静止画データ、音声データ等を外部機器とやり取したりするためのＵＳＢ端子である。１１８は、ＵＳＢ端子１１７と接続された外部機器とのデータのやり取りを制御するＵＳＢコントローラである。
【００２０】
本実施例では、記憶媒体としてＨＤＤ１１１を用いているが、これは、ハードディスクに限られるものではなく、磁気（あるいは光磁気）記録メディアなどが考えられる。
【００２１】
また、外部接続端子としては、ＵＳＢ端子１１７を用いているが、これは、ＵＳＢ端子に限られるものではなく、ＩＥＥＥ１３９４等のデジタルデータを入出力可能な端子が考えられる。
【００２２】
まず、本実施例のビデオカメラのモード選択について説明する。
【００２３】
操作部１０２の電源スイッチがユーザにより操作され、ビデオカメラの電源スイッチが投入されると、まず、操作部１０２の選択スイッチにより静止画記録モードが選択されているか、動画記録モードが選択されているかを制御部１０１は確認する。ここで、制御部１０１は、操作部１０２の選択スイッチにより選択されている記録モード用の設定にビデオカメラの各ブロックを設定する。
【００２４】
次に、操作部１０２の選択スイッチにより、動画記録モードが選択されている場合の記録動作について説明する。
【００２５】
動画記録モードが選択されると、ビデオカメラは撮影待機状態になる。この状態で、ユーザが操作部１０２のシャッターボタンを操作することにより、ビデオカメラに動画撮影開始の指示がなされる。この動画撮影開始の指示に応じて、制御部１０１は、撮像部１０５、映像処理部１０６等に撮影開始の指示信号を送信する。
【００２６】
撮影が開始すると、撮像部１０５の撮影レンズを通って入射した被写体からの光は、絞りにより光量を制御され、撮像素子により電気信号に変換される。該電気信号は、映像処理部１０６で適正な信号レベルに調整され、デジタルデータに変換される。そしてデジタルデータに変換された画像データは、映像処理部１０６の画素数調整回路等によって適切な画素数に調整され、所定の映像記録方式で圧縮符号化され、動画データとなる。
【００２７】
また、集音部１０７により取り込まれた音声信号は、音声処理部１０８の増幅器で増幅され、デジタルデータに変換される。
【００２８】
そして、制御部１０１は、上述の動画データと上述の音声データとを合成しデータストリームを形成し、アクセス部１１２に出力する。アクセス部１１２は、制御部１０１の指示に基づき、ＵＤＦ、ＦＡＴ等のファイルシステム管理のもとに、動画データと音声データのデータストリームを一つの動画ファイルとしてＨＤＤ１１１に書込みはじめる。ファイルシステムとは、ファイルの管理を行うための管理情報とファイルデータからなる構造体系を意味する。このファイルシステムを共通化することによって、異なった記憶媒体あるいは記録再生機器でも記録再生できる。
【００２９】
データストリームは、必要に応じて映像端子１１４に送られたり、表示制御部１１０を通して、表示部１０９に表示されたりする。
【００３０】
そして、ユーザが操作部１０２のシャッターボタンを再度操作することにより、ビデオカメラに動画撮影終了の指示がなされたことに応じて、制御部１０１は、撮像部１０５、映像処理部１０６等に撮影終了の指示信号を送信する。
【００３１】
動画撮影終了の指示信号を受信したことに応じて、撮像部１０５、映像処理部１０６は、撮影動作を終了する。アクセス部１１２は、制御部１０１の指示のもと、撮影開始から撮影終了までに記録された一連の動画データと音声データとを一つのファイルし、アクセス部１１２は、このファイルを全てＨＤＤ１１１に書込み、記録動作を終了する。制御部１０１は、ビデオカメラを撮影待機状態に遷移させる。
【００３２】
次に、操作部１０２の選択スイッチにより、静止画記録モードが選択されている場合の記録動作について説明する。
【００３３】
静止画記録モードが選択されると、ビデオカメラは撮影待機状態になる。この状態で、ユーザが操作部１０２のシャッターボタンを操作することにより、ビデオカメラに撮影開始の指示がなされる。この撮影開始の指示に応じて、制御部１０１は、撮像部１０５、映像処理部１０６等に１枚の静止画を撮影する撮影開始の指示信号を送信する。
【００３４】
撮影が開始すると、撮像部１０５の撮影レンズを通って入射した被写体からの光は、絞りにより光量を制御され、撮像素子により電気信号に変換される。該電気信号は、映像処理部１０６で適正な信号レベルに調整され、デジタルデータに変換され、所定の静止画記録方式で圧縮されて、静止画データになる。アクセス部１１２は、制御部１０１の指示のもと、この一回のシャッターボタンの操作により、得られた静止画データをＵＤＦ、ＦＡＴ等のファイルシステム管理のもとに、一つの静止画ファイルとして、一つの静止画データをＨＤＤ１１１に書込む。その後、制御部１０１は、ビデオカメラの状態を再び撮影待機状態に設定する。
【００３５】
次に、本実施例の撮像装置の通常の再生動作について説明する。この時、操作部１０２の選択スイッチにより再生モードが選択されている。
【００３６】
制御部１０１は、操作部１０２の選択スイッチによって再生モードが指定されたことに応じて、ＨＤＤ１１１から動画データや静止画データを読み出すよう、アクセス部１１２を制御する。そして、読み出された動画データや静止画データのサムネイルを並べたサムネイル画面や、動画データや静止画データのファイル名を表示部１０９に表示するよう、表示制御部１１０を制御する。また、最後に撮影した動画データや静止画データ等を表示部１０９に表示するよう、表示制御部１１０を制御してもよい。
【００３７】
そして、サムネイル画面が表示された状態で、ユーザが操作部１０２を操作して、動画データや静止画データを再生する指示をすると、制御部１０１は、各画像データを再生するよう各ブロックを制御する。
【００３８】
静止画データを再生する際は、制御部１０１は、操作部１０２からの指示に応じて、ＨＤＤ１１１から読み出した静止画データを、映像再生処理部１１３で、復号されている情報量が伸張する。そして、伸張された静止画データは、表示制御部１１０によって表示部１０９に１枚の静止画として表示される。また、映像端子１１４から出力されるようにしてあっても良い。
【００３９】
動画データを再生する際は、制御部１０１は、操作部１０２からの指示に応じて、ＨＤＤ１１１から読み出したコンテンツデータを制御部１０１で音声データと動画データとを分離する。そして動画データは、映像再生処理部１１３で、復号されている情報量が伸張され、表示制御部１１０によって表示部１０９で映像として表示される。また、映像端子１１４から出力されるようにしてあっても良い。音声データは、音声再生処理部１１５に送信され、復号された情報量が伸張されて、音声出力端子１１６から出力される。
【００４０】
ここで、本実施例のビデオカメラのＨＤＤ１１１において、動画データ、静止画データ等を記録しているディレクトリ構造について説明する。
【００４１】
ＨＤＤ１１１は、図２に示すようにトップディレクトリであるＤＣＩＭディレクトリ２０１内に、撮影された静止画・動画データを格納する。ＤＣＩＭディレクトリ２０１には、「１００ＩＭＡＧＥ」ディレクトリ（以下、ＩＭＧディレクトリ２０２と呼ぶ）が格納されている。また、ＤＣＩＭディレクトリ２０１には、後述するように、動画記録開始時、動画記録終了時に動画データと共に撮影された静止画データを格納しておく「ＴＥＭＰ」ディレクトリ（以下、ＴＭＰディレクトリ２０３と呼ぶ）も格納されている。
【００４２】
本実施例のビデオカメラの記録モードと上述のディレクトリの関係を説明する。静止画記録モードが選択されていた場合にシャッターボタンを操作して得られた静止画データは、ＩＭＧディレクトリ２０２に記録される。また、動画記録モードが選択されたいた場合にシャッターボタンを操作して得られた動画データはＩＭＧディレクトリ２０２に記録される。さらに、後述するように、動画記録開始時、動画記録終了時に動画データと共に撮影された静止画データは、ＴＭＰディレクトリ２０３に記録される。つまり、静止画データを記録する際、制御部１０１は、静止画記録モード、動画記録モードのどちらが選択されているかを識別して、選択されている記録モードによって、記録するディレクトリを異ならせるようにアクセス部１１２を制御する。
【００４３】
そして、ＴＭＰディレクトリ２０３内のファイルは、再生モードにおいて、前述の通常の再生の指示の為の操作とは異なり、所定の操作をしない限りは表示されない。具体的には、再生モードが選択されると制御部１０１は、ＨＤＤに記録されたファイルのうち、ＩＭＧディレクトリ２０２に格納されているファイルのサムネイル画面等を表示する。また、ＴＭＰディレクトリ２０３に格納されているファイルのサムネイルは表示されない。また、ＴＭＰディレクトリ２０３内に記録された静止画データのサムネイルやファイル名も所定の操作をしない限りは表示されない。
【００４４】
そして、ＩＭＧディレクトリ２０２内には、Ｅｘｉｆ（Ｅｘｃｈａｎｇｅａｂｌｅ  Ｉｍａｇｅ  Ｆｉｌｅ  Ｆｏｒｍａｔ）に準拠したＪＰＥＧ形式の静止画ファイル（拡張子「ｊｐｇ」）が格納される。さらに、ＩＭＧディレクトリ２０２内には、Ｍｏｔｉｏｎ−ＪＰＥＧ形式の動画ファイル（拡張子「ａｖｉ」）等も格納される。
【００４５】
本実施例のビデオカメラは、動画記録モードにおいて、操作部１０２のシャッターボタンによって、動画撮影開始・停止の指示をしたことに応じて、静止画を予備に撮影する設定を、ユーザが選択できるようになっている。この機能を仮撮影機能と呼ぶ。ユーザは、表示部１０９に表示されたメニュー画面等を利用して、撮影前に仮記録機能のＯＮ／ＯＦＦ設定をすることができる。
【００４６】
仮撮影機能をＯＮにした場合、動画記録モードにおいて、動画撮影開始時と、動画撮影終了時に静止画撮影が同時に行われ、静止画データが記録されることになる。このようにして、撮影された静止画データは、ＴＭＰディレクトリ２０３に撮影され、再生モードにおいて所定の操作がされない限りは、再生、表示、を禁止される静止画データになっている。また、同時に撮影された動画データは、ＩＭＧディレクトリ２０２に記録される。この動画データは、再生モードで通常表示される動画データとなる。
【００４７】
仮撮影機能をＯＮにした場合の、記録手順について図３に示すフローチャートを参照しながら説明を行う。
【００４８】
電源が投入されると制御部１０１は、操作部１０２の選択スイッチの状態を判別し、再生モード、静止画記録モード、動画記録モードのいずれかのモードに決定する（Ｓ３０１）。ここでは、動画記録モードの場合について説明する（Ｓ３０１で動画記録モード）。
【００４９】
動画記録モードにおいては、制御部１０１は、操作部１０２のシャッターボタンが操作されたか否かを監視する（Ｓ３０２）。操作部１０２のシャッターボタンが操作されたことに応じて制御部１０１は、撮像部１０５及び映像処理部１０６に１枚の静止画を撮影するよう指示を出す（Ｓ３０３）。
【００５０】
Ｓ３０３で制御部１０１からの、静止画撮影指示を受けたことに応じて、撮像部１０５で得られた電気信号は、映像処理部１０６で、静止画データにされ、アクセス部１１２によって、ＨＤＤ１１１に書込まれる。このとき、この後撮影される動画データと、今回撮影した静止画データを関連づけるための管理データを制御部１０１が生成し、この管理データはアクセス部１１２によって、ＨＤＤ１１１に書込まれる。これら静止画データ、管理データは図２に示したＴＭＰディレクトリ２０３に記録される（Ｓ３０４）。この静止画データは、再生モードにおいては所定の操作がされない限りは表示されることがない。
【００５１】
静止画データの記録が終了すると、次に、制御部１０１は、撮像部１０５、映像処理部１０６に、動画撮影を行うよう指示を出す（Ｓ３０５）。動画撮影は、再度操作部１０２のシャッターボタンが操作され、記録停止が指示されるか、操作部１０２の電源スイッチが操作されるまで記録を続ける。
【００５２】
操作部１０２のシャッターボタンが操作され、記録停止が指示された場合（Ｓ３０６でＹｅｓ）、制御部１０１は、撮像部１０５及び映像処理部１０６に、再度静止画撮影を行うよう指示を出す（Ｓ３０７）。
【００５３】
撮像部１０５で得られた電気信号は、映像処理部１０６で、静止画データにされ、アクセス部１１２によって、ＨＤＤ１１１に書込まれる。このとき、制御部１０１は、先に記録された管理データの内容を、今回撮影された動画データと、先に記録された静止画データと今回撮影された静止画データとを関連づけるように更新する。更新された管理データ及び今回撮影された静止画データは、ＨＤＤ１１１のＴＭＰディレクトリ２０３内に記録される（Ｓ３０８）。
【００５４】
次に、制御部１０１は、撮像部１０５及び映像処理部１０６に動画撮影を停止するよう指示を出す。生成された動画データは、アクセス部１１２によってＨＤＤ１１１のＩＭＧディレクトリ２０２に記録される（Ｓ３０９）。そして、操作部１０２の電源スイッチが押されて電源がＯＦＦされるまでは、撮影待機状態になっている（Ｓ４１０）。
【００５５】
この状態で、ＩＭＧディレクトリ２０２には、今回撮影された動画データが記録されており、ＴＭＰディレクトリ２０３には、今回の撮影の開始時と終了時に撮影した静止画データが記録されていることになる。さらに、ＴＭＰディレクトリ２０３には、これらの動画データと静止画データを関連づけるための管理データも共に記録されていることになる。
【００５６】
次に、動画記録中に操作部１０２の電源スイッチが操作され、電源ＯＦＦの指示がされた場合について説明する（Ｓ３０６でＮｏ、Ｓ３１１でＹｅｓ）。
【００５７】
操作部１０２の電源スイッチが操作されたことに応じて、制御部１０１は、動画撮影を終了するよう撮像部１０５及び映像処理部１０６に指示を出し、得られた動画データを、ＨＤＤ１１１に記録する（Ｓ３１２）。動画データは、ＨＤＤ１１１のＩＭＧディレクトリに記録される。
【００５８】
この状態で、ＩＭＧディレクトリ２０２には、今回撮影された動画データが記録されており、ＴＭＰディレクトリ２０３には、今回の撮影の開始時に撮影した静止画データのみが記録されていることになる。さらに、ＴＭＰディレクトリ２０３には、これらの動画データと静止画データを関連づけるための管理データも共に記録されていることになる。
【００５９】
ここでは、静止画撮影を動画記録開始の前に行う場合について説明したが、これに限られるものではなく、シャッターボタンが操作されたことに応じて、静止画撮影が行われればよい。動画記録と同時であっても良いし、動画記録開始後に静止画記録を行っても良い。これは撮影終了時についても同様である。
【００６０】
以上のようにして得られた静止画データの仮記録の状態について図４、図５を用いて説明する。図４は、動画撮影開始のため及び動画撮影終了のために、操作部１０２のシャッターボタンを操作して、動画データをＩＭＧディレクトリ２０２に記録した場合の説明をするための図である。このとき、操作部１０２のシャッターボタンの操作に応じて、動画撮影開始時及び動画撮影終了時に静止画を撮影し、静止画データをＴＭＰディレクトリ２０３に記録する。そして、ＴＭＰディレクトリ２０３には、さらに、前述の動画データと動画撮影開始時及び動画撮影終了時に撮影した静止画データとを関連づけるための管理データも共に記録される。
【００６１】
図５は、動画撮影開始のために操作部１０２のシャッターボタンを操作し、動画撮影終了のために操作部１０２の電源スイッチを操作し、動画データをＩＭＧディレクトリ２０２に記録した場合の説明をするための図である。このとき、操作部１０２のシャッターボタンの操作に応じて、動画撮影開始時に静止画を撮影し、静止画データをＴＭＰディレクトリ２０３に記録する。そして、ＴＭＰディレクトリ２０３には、さらに、前述の動画データと動画撮影開始時及び動画撮影終了時に撮影した静止画データとを関連づけるための管理データも共に記録される。
【００６２】
まず、図４の場合について説明する。図４において、４０１は、記録されるディレクトリの構造を示している。
【００６３】
まず、４０２のタイミングで操作部１０２のシャッターボタンが操作されたことに応じて、動画４０４の撮影を開始するとともに、静止画４０５の撮影を行う。そして、撮影された静止画４０５は、管理データ４０７と共にＴＭＰディレクトリ２０３内に仮記録される。
【００６４】
次に４０３のタイミングで、操作部１０２のシャッターボタンが操作されたことに応じて、動画４０４の撮影を停止すると共に、静止画４０６の撮影を行う。そして、管理データ４０７を更新し、撮影された静止画４０６はＴＭＰディレクトリ２０３内に記録される。また、動画４０４は、ＩＭＧディレクトリ２０２に記録される。
【００６５】
ここで、ＴＭＰディレクトリ２０３に格納された、管理データ４０７について説明する。管理データ４０７は、上述したように、動画データ４０４が撮影された際に生成されて、ＴＭＰディレクトリ２０３に記録されるものである。この管理データ４０７は、動画４０４の撮影開始時に撮影された静止画４０５と、動画４０４との関係を示しているデータである。また、動画４０４の撮影終了時に撮影された静止画４０６と、動画４０４との関係を示しているデータでもある。つまり、管理データ４０７は、動画４０４と、静止画４０５及び静止画４０６との関係を示している。また、管理データ４０７と動画データ４０４との対応づけがファイルシステム上でもわかるようにするため、動画データと同じファイル名を付加している。
【００６６】
図５の場合の説明をする。図５において、５０１は、記録されるディレクトリの構造を示している。
【００６７】
まず、５０２のタイミングで操作部１０２のシャッターボタンが操作されたことに応じて、動画５０４の撮影を開始するとともに、静止画５０５の撮影を行う。そして、撮影された静止画５０５は、管理データ５０６と共にＴＭＰディレクトリ２０３内に仮記録される。
【００６８】
次に、５０３のタイミングで操作部１０２の電源スイッチが操作されたことに応じて、動画５０４の撮影を停止する。そして、動画５０４は、ＩＭＧディレクトリ２０２に記録される。つまりシャッターボタンからの指示とは別の指示により動画撮影の停止が指示された場合には、静止画を撮影せずに終了する。
【００６９】
ここで、ＴＭＰディレクトリ２０３に格納された、管理データ５０６について説明する。管理データ５０６は、上述したように、動画５０４が撮影された際に生成されて、ＴＭＰディレクトリ２０３に記録されるものである。この管理データ５０６は、動画５０４の撮影開始時に撮影された静止画５０５と、動画５０４との関係を示しているデータである。つまり、管理データ５０６は、動画５０４と、静止画５０５との関係を示している。また、管理データと動画データとの対応づけがファイルシステム上でもわかるようにするため、動画データと同じファイル名を付加している。
【００７０】
この様な記録を行うことにより、動画記録モードにおいて撮影開始時や撮影終了時に撮影された静止画を再生モードでは表示されない形で記録しておくことができる。
【００７１】
次に、上述のような操作を繰り返して、記録された動画データ、静止画データを再生、表示する、再生モードについて説明する。
【００７２】
本実施例のビデオカメラは、再生モードにおいて、通常、ＩＭＧディレクトリ２０２に記録された動画データや、静止画データを再生することができる。そして、再生モードにおいて、ＩＭＧディレクトリ２０２に記録された動画データを削除する削除処理の指示を受けた際には、ＴＭＰディレクトリ２０３内に管理データが存在するかどうかを確認する。管理データが存在する場合には、削除する動画データに関連づけられた静止画データを画面上に表示させて、その静止画データをＩＭＧディレクトリに２０２に移動させるか否かをユーザに選択させることができる。そして、ユーザの指示に応じて、ＴＭＰディレクトリ２０３からＩＭＧディレクトリ２０２に移動された静止画データは、再生モードで表示されるようになる。また、その静止画データのサムネイルやファイル名も表示されるようになる。
【００７３】
上述のように、再生モードで動画データを削除する削除処理の指示がなされたことに応じて、その動画データに関連づけられた静止画データを、再生モードで表示できるようにする動作について図６〜図９を用いて説明する。
【００７４】
図６の、６０１は、ＨＤＤ１１１の内のディレクトリ構造を示す図である。図６において、ＩＭＧディレクトリ２０２には、動画記録モードで撮影された動画６０２が記録されている。さらに、ＩＭＧディレクトリには、静止画記録モードで撮影された静止画６０３と静止画６０４が記録されている。
【００７５】
また、ＴＭＰディレクトリ２０３には、管理データ６０５と、静止画６０６と、静止画６０７が保存されている。静止画６０６は、動画記録モードで、動画６０２の撮影開始のシャッターボタンが操作された時に記録された静止画である。また、静止画６０７は、動画６０２の撮影終了のシャッターボタンが操作された時に記録された静止画である。そして、管理データ６０５は、動画６０２と、静止画６０６及び静止画６０７との関連を示すためのデータである。
【００７６】
図６に示したような状態で、ＨＤＤ１１１に記録された各ファイルのうちユーザが再生モードで、動画６０２の削除を、指示した場合の動作について、図７のフローチャートを用いて説明する。
【００７７】
ユーザが操作部１０２を操作することにより、動画６０２の削除の指示すると、まず、制御部１０１は、ＴＭＰディレクトリ内に動画６０２に対応する管理データ６０５があるか検出する（Ｓ７０１）。
【００７８】
管理データ６０５がない場合は（Ｓ７０２でＮｏ）、動画６０２を削除（Ｓ７０７）して、サムネイル表示画面等にもどる。
【００７９】
管理データ６０５がある場合は（Ｓ７０２でＹｅｓ）、管理データによって、動画６０２に関連づけられた静止画データを表示部１０９に表示する（Ｓ７０３）。この画面では、ユーザは、動画６０２の代りにＩＭＧディレクトリ２０２に保存する静止画を、表示された静止画の中から選択することができる。この画面表示の例を示した図が図８である。
【００８０】
図６では、管理データによって、動画６０２に関連づけられた静止画データは、静止画６０６と静止画６０７である。従って、図８では、表示部１０９に静止画６０６と静止画６０７を選択するための画面を表示している。図８において、８０１は、動画撮影開始時に撮影された静止画６０６を示すサムネイルであり、８０２は、動画撮影終了時に撮影された静止画６０７を示すサムネイルである。８０３、８０４は、ユーザが静止画を選択するためのチェックボックスであり８０３は、サムネイル８０１が指定されていない状態を示しており、８０４は、サムネイル８０２が指定された状態を示している。８０５は、選択された静止画（ここではサムネイル８０２に対応した静止画６０７）を再生モードで表示できるようにＩＭＧディレクトリ２０２に移動させることを実行させるためのＯＫボタンである。このＯＫボタン８０５の操作に応じて、動画６０５の削除は実行される。また、８０６は、動画６０５に対する削除をキャンセルするためのキャンセルボタンである。
【００８１】
ここで、図８の表示において、ユーザがチェックボックス８０４にチェックをした状態（静止画６０７を選択した状態）で、ＯＫボタン８０５が操作された場合（Ｓ７０４でＹｅｓ）には、以下の動作を行う。
【００８２】
制御部１０１は、選択されている静止画６０７のファイル名を変更し、ＩＭＧディレクトリ２０２に移動さる。（Ｓ７０５）図６のように、ＩＭＧディレクトリ２０２には、静止画６０３と静止画６０４とが記録されているので、本実施例では静止画のファイル名をこれらと重複しないようにしている。例えば、本実施例では、ＩＭＧディレクトリ２０２内の静止画ファイルのファイル名を順番に見た場合に一番最後になるようなファイル名を付加している。本実施例ではＩＭＧディレクトリ２０２内で最後に記録された静止画データのファイル名の数字部分を１つインクリメントしたファイル名としている。
【００８３】
静止画データのファイル名変更と記録が終了した段階で、管理データ６０５は不要となるため、これを削除する（Ｓ７０６）。続いて、削除の処理指示された動画６０２を削除して（Ｓ７０７）、再びサムネイル表示画面等に戻る。
【００８４】
また、図８の表示において、ユーザがチェックボックス８０３、８０４のいずれにもチェックをしていない状態（静止画未選択状態）で、ＯＫボタン８０５が操作された場合（Ｓ７０４でＮｏ）には、以下の動作を行う。
【００８５】
制御部１０１は、管理データ６０５を削除（Ｓ７０６）し、削除指定された動画６０２を削除（Ｓ７０７）して、サムネイル表示画面等に戻る。
【００８６】
以上のようなフローによって、図６に示すディレクトリ構造のＨＤＤ１１１の中のコンテンツデータを図９に示すディレクトリ構造にすることができる。
【００８７】
９０１は、図６の６０１のディレクトリ構造から、上述したフローにより静止画６０６のファイル名を変更し、ＴＭＰディレクトリ２０３からＩＭＧディレクトリ２０２に移動させたディレクトリ構造を示している。
【００８８】
図９において、ＩＭＧディレクトリ２０２には、静止画記録モードで撮影された静止画６０３と静止画６０４が記録されている。さらに、ＩＭＧディレクトリには上述したフローでファイル名を変更され、移動された静止画９０２が記録されている。
【００８９】
また、ＴＭＰディレクトリ２０３には、管理データ６０５が削除されたため、静止画６０６のみが保存されている。
【００９０】
図７に示す様なフローに従った処理をすることにより、動画記録モードで、動画データの記録開始時や記録終了時に撮影された静止画データを再生モードで表示できるように記録し直すことができる。
【００９１】
本実施例では、図８の表示において、選択されていなかった静止画データについては、ＴＭＰディレクトリ２０３に記録したままにしてもよいし、動画データを削除する際に同時に削除しても良い。
【００９２】
また、本実施例において、動画記録モードにおいて動画データの記録開始時や記録終了時に撮影された静止画データを、再生モードで表示されないようにするため、ＴＭＰディレクトリ２０３に記録していた。しかし、再生モードで表示されないようにする方法は、これに限られるものではない。例えば、ＩＭＧディレクトリ２０２に記録され、Ｅｘｉｆに準拠した静止画ファイルとして記録したものを所定の操作がされない限りは表示されないように制御しても良い。この場合は、Ｅｘｉｆに準拠した静止画ファイル内のメーカーノート部分に、この静止画ファイルを再生モードでは所定の操作がされない限りは表示しないということを示すコードを静止画データと共に書込む。また、この他にも、コンピュータ上で隠しファイルとして扱われるような属性として記録されていても良い。この場合は、ビデオカメラの制御部１０１によって、隠しファイルに関しては、再生モードで所定の操作がされない限りは表示しないよう制御すればよい。このように静止画を記録するためには、制御部１０１は、静止画が記録される際の記録モードが静止画記録モードになっているか動画記録モードになっているかを識別する必要がある。そして、選択されている記録モードによって記録される静止画に対して、再生モードでは表示されないようにするデータを書込むか否かを決定し、アクセス部１１２は、これらのデータを静止画データとともにＨＤＤ１１１に書込む。
【００９３】
また、本実施例では、表示部１０９に、動画データを削除する削除処理の指示がなされた際に管理データによって関連づけられたＴＭＰディレクトリ２０３内の静止画データを表示するようにしていた。しかし、通常の再生モードにおいて、動画データに対応する管理データがあるかどうかを確認し、管理データがある場合には、動画データに関連付けられた静止画がある旨の表示をしても良い。
【００９４】
また、動画データを選択した際に、その動画データに対応する管理データがあるかどうかを確認し、管理データがある場合には、その動画データに関連付けられた静止画がある旨の表示をしても良い。また、対応する静止画を示す情報を縮小して表示するようにしても良い。
【００９５】
また、動画データを再生する際に、その動画データに対応する管理データがあるかどうかを確認し、管理データがある場合には、その動画データに関連付けられた静止画を動画データの再生前と再生後に、表示するようにしてもよい。または、再生前に関連付けられた静止画すべてを表示しても良い。または、再生後に関連付けられた静止画すべてを表示しても良いし、再生前に、動画記録開始時に記録した静止画を表示し、再生後にまた、動画撮影終了時に記録した静止画を表示しても良い。つまり、動画データの再生処理が指示された場合に、管理データを確認し、その動画データに関連づけられた静止画データを表示するようにしてもよい。
【００９６】
また、動画撮影終了時に、その動画データに対応する管理データがあるかどうかを確認し、管理データがある場合には、その動画データに関連付けられた静止画を表示するようにしても良い。つまり、動画データの記録終了処理の指示がされた場合に、管理データを確認し、その動画データに関連づけられた静止画データを表示するようにしても良い。
【００９７】
また、本実施例では、表示部１０９に、動画データを削除する指示がなされた際に管理データによって関連づけられたＴＭＰディレクトリ２０３内の静止画データを表示するようにしていた。しかし、ＴＭＰディレクトリ２０３内の静止画データを表示する指示を別途メニュー等で指定することによっても表示できるようにしても良い。さらに、ＴＭＰディレクトリ２０３の静止画データを表示した状態で、ユーザの指示によって、制御部１０１は、再生モードで表示されるように静止画データの記録フォルダを移動してもよい。
【００９８】
また、本実施例では、ＨＤＤ１１１の記憶容量は、ＩＭＧディレクトリ２０２内の画像データ及び、ＴＭＰディレクトリ２０３内の画像データや管理データによって使用されている。本実施例のビデオカメラでは、ＴＭＰディレクトリ２０３内のデータにより使用されている記憶領域については、空き容量としてユーザに報知するようにしてもよい。そして、ＨＤＤ１１１の記憶残容量が所定量以下になった場合には、ＴＭＰディレクトリ２０３内ファイルは記録日時が古い順に、次に記憶される動画データによって上書きできるようにしてもよい。また、ＨＤＤ１１１の記憶残容量が所定の割合以下になった場合に、ＴＭＰディレクトリ２０３内ファイルは記録日時が古い順に、次に記憶される動画データによって上書きできるようにしてもよい。ただし、新たに記録された動画データ等はＴＭＰディレクトリ２０３ではなく、ＩＭＧディレクトリ２０２に記録されることになる。
【００９９】
また、ＴＭＰディレクトリ内のファイルを記録日時が古い順に、次に記録される動画データによって上書きできるようにしたが、古い順でなくてもよい。
例えば、管理データによって関連づけられた静止画データが２つであるものを優先して上書きできるようにして、管理データが示す静止画が１つのものを極力残すようにしておいても良い。これは、ユーザが静止画撮影と動画撮影とを間違えて撮影した場合には、もう一度シャッターボタンを押さずに電源スイッチを操作して終了することが多いからである。この場合、本実施例のビデオカメラにおいては、動画撮影開始時に同時に記録された静止画データだけが記録され、動画撮影終了時に同時に記録された静止画データは記録されない。従って管理データによって関連づけられた静止画データが１つのものを極力残すようにしている。
【０１００】
また、本実施例では、動画データを削除する際に、その動画データに関連づけられた静止画データを再生モードで表示できるようにするか否かは、動画データ削除の度にユーザが選択していたが、そうしなくても良い。例えば、動画データ削除時に自動的に関連づけられた静止画データを再生モードで表示できるようにするようにしてもよい。この機能の切り替えはメニュー画面等であらかじめ設定することによって実現できる。
【０１０１】
また、本実施例では、動画撮影モードと静止画撮影モードがあるビデオカメラについて説明したが、動画撮影ボタンと、静止画撮影ボタンがあるビデオカメラにも適応可能である。この場合、動画撮影ボタンを押すことにより、撮影開始や撮影終了を指示するので、それぞれのタイミングで、静止画撮影を行い、その静止画データをＴＭＰディレクトリ２０３に記録しておくようにすればよい。
【０１０２】
（他の実施例）
本発明は、実施例では、動画と静止画とを撮像して記録することができる撮像装置として、ビデオカメラについて説明したが、これ以外の装置でも、動画データと静止画データを撮像する機能を有する装置であれば適用可能である。
【０１０３】
また、本発明の目的は、前述した実施形態の機能を実現するソフトウェアのプログラムコードを記録した記憶媒体を、システム或いは装置に供給することによっても、達成されることは言うまでもない。このとき、供給されたシステム或いは装置のコンピュータ（またはＣＰＵやＭＰＵ）は、記憶媒体に格納されたプログラムコードを読み出し実行する。
【０１０４】
この場合、記憶媒体から読み出されたプログラムコード自体が前述した実施形態の機能を実現することになり、プログラムコード自体及びそのプログラムコードを記憶した記憶媒体は本発明を構成することになる。
【０１０５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【０１０６】
また、上述のプログラムコードの指示に基づき、コンピュータ上で稼動しているＯＳ（基本システムやオペレーティングシステム）などが処理の一部又は全部を行い、その処理によって前述した実施形態の機能が実現される場合も含まれることは言うまでもない。
【０１０７】
さらに、記憶媒体から読み出されたプログラムコードが、コンピュータに挿入された機能拡張ボードやコンピュータに接続された機能拡張ユニットに備わるメモリに書込まれ、前述した実施形態の機能が実現される場合も含まれることは言うまでもない。このとき、そのプログラムコードの指示に基づき、その機能拡張ボードや機能拡張ユニットに備わるＣＰＵ等が実際の処理の一部又は全部を行う。
【符号の説明】
【０１０８】
１０１  制御部
１０２  操作部
１０３  制御バス
１０４  画像／音声バス
１０５  撮像部
１０６  映像処理部
１０７  集音部
１０８  音声処理部
１０９  表示部
１１０  表示制御部
１１１  ハードディスク
１１２  アクセス部
１１３  映像再生処理部
１１４  映像端子
１１５  音声再生処理部
１１６  音声端子
１１７  ＵＳＢ端子
１１８  ＵＳＢコントローラ
【図１】
0005414844.tif 000002
【図２】
0005414844.tif 000003
【図３】
0005414844.tif 000004
【図４】
0005414844.tif 000005
【図５】
0005414844.tif 000006
【図６】
0005414844.tif 000007
【図７】
0005414844.tif 000008
【図８】
0005414844.tif 000009
【図９】
0005414844.tif 000010